(57)【要約】【課題】横幅方向に変動する横幅サイズを有する商品を、その横幅サイズの変動に応じて隙間なく収容することができ、かつ商品の倒れ防止部材についても、商品の横幅サイズの変動に応じて簡単に変化させることができる陳列台の提供。【解決手段】右半分を形成する右半箱体２０と、左半分を形成する左半箱体１０とを左右方向に移動可能かつ合体化する合体可動部と、右半箱体により前後方向に移動可能かつ倒れ防止されて支持される右倒れ防止部材３０と、左半箱体により前後方向に移動可能かつ倒れ防止されて支持される左倒れ防止部材４０とから構成され、倒れ防止部材と左倒れ防止部材とが追従して移動される陳列台１。【選択図】  図３
2004283459.tif 000002
【特許請求の範囲】
【請求項１】
複数の商品を前後方向に収容するために上方に開口した開口部を有する箱体と、前記商品の後方側への倒れを防止し、かつ前記商品の収容量に応じて前後方向に移動される倒れ防止部材とを備えた陳列箱であって、
前記箱体は、
略右半分を形成する右半箱体と、略左半分を形成する左半箱体と、前記右半箱体と前記左箱体とを左右方向に移動可能かつ合体化する合体可動部とから構成され、
前記倒れ防止部材は、
前記右半箱体により前後方向に移動可能かつ倒れ防止されて支持される右支持部を有する右倒れ防止部材と、前記左半箱体により前後方向に移動可能かつ倒れ防止されて支持される左支持部を有する左倒れ防止部材と、前記右倒れ防止部材と前記左倒れ防止部材とを重ねて案内する案内部とから構成され、
前記右半箱体と前記左半箱体とが前記左右方向に移動されるにともない、前記右倒れ防止部材と前記左倒れ防止部材とが追従して移動することを特徴とする陳列台。
【請求項２】
前記右半箱体は、右側板と、右背板と、前記右側板の高さ寸法以下の高さを有する右起立部とが右底板の各縁部から連続形成され、
前記左半箱体は、左側板と、左背板と、前記左側板の高さ寸法以下の高さを有する左起立部とが左底板の各縁部から連続形成され、
前記合体可動部を、
前記右底板または前記左底板の前後の各部位において左右方向に連続形成される各第１の案内孔部と、前記左底板または前記右底板の前後部位において下方に向けて突出形成され、前記各第１の案内孔部中に組み付けられる各爪部と、
前記右背板または前記左背板の上側の縁部に沿って形成される第１の案内溝部と、前記第１の案内溝に挿入され左右方向に移動可能に形成される前記左背板または前記右背板の第１の上縁部と、から構成するとともに、
前記左右起立部とを前後方向に互い違いに組み付けることを特徴とする請求項１に記載の陳列台。
【請求項３】
前記各第１の案内孔部の長手方向に沿うように形成される複数の被係合部と、前記被係合部に係合するように前記各爪部に形成される係合部とを設け、前記被係合部と前記係合部との間で係合状態にすることで、前記右半箱体と前記左箱体とを左右方向に段階的に移動可能、かつ前記係合状態を保持して前記右半箱体と前記左箱体とを不動状態にすることを特徴とする請求項２に記載の陳列台。
【請求項４】
前記各第１の案内孔部において、前記各爪部が挿入される挿入孔部と、前記各爪部が挿入されるときに弾性変形し、前記各爪部の挿入後に前記各爪部を前記各第１の案内孔部から脱落防止する弾性変形部を形成したことを特徴とする請求項２または３に記載の陳列台。
【請求項５】
前記右半箱体の前記右底板または前記左半箱体の前記左底板の縁部において、前記右半箱体と前記左箱体とを左右幅方向に移動するときに指先が入る凹部を連続形成したことを特徴とする請求項２乃至４のいずれか１項に記載の陳列台。
【請求項６】
前記右倒れ防止部材の前記右支持部は、
前記右側板の下方において前後方向に連続形成されるとともに複数の上下歯部を形成した第２の案内孔部と、
前記第２の案内孔部に沿うように移動されるとともに前記上下歯部に係合する上下凸部を形成し、かつ前記右側板に対して面一となるように前記右倒れ防止部材の右縁部の下方の角部近くに形成される右形状部と、
前記右倒れ防止部材の右縁部の上方の角部から連続形成され、前記右側板の上縁部で係止される右係止部とから構成され、
また、前記左倒れ防止部材の前記左支持部は、
前記左側板の下方において前後方向に連続形成されるとともに複数の上下歯部を形成した第３の案内孔部と、
前記第３の案内孔部に沿うように移動されるとともに前記上下歯部に係合する上下凸部を形成し、かつ前記左側板に対して面一となるように前記左倒れ防止部材の左縁部の下方の角部近くに形成される左形状部と、
前記左倒れ防止部材の左縁部の上方の角部から連続形成され、前記左側板の上縁部で係止される左係止部とから構成され、
そして、前記案内部は、
前記右倒れ防止部材または前記左倒れ防止部材の上下縁部から連続形成される上下溝部と、
前記上下溝により案内される前記上下縁部と、から構成されることを特徴とする請求項２乃至５のいずれか１項に記載の陳列台。
【請求項７】
前記第２の案内孔部と前記第３の案内孔部は挿入孔部を連続形成し、前記左右倒れ防止部材を前記左右底板に対して略垂直に位置させた後に、前記左右形状部を前記挿入孔部に対して挿入可能にしたことを特徴とする請求項６に記載の陳列台。
【請求項８】
前記右半箱体と前記左半箱体と、前記右倒れ防止部材と前記左倒れ防止部材の左右方向の寸法は同寸法であり、
前記左右倒れ防止部材の左右縁部において前記上下凸部に干渉しない凹部を形成したことを特徴とする請求項７乃至のいずれか１項に記載の陳列台。
【請求項９】
前記左右側板の高さ寸法は商品の高さ寸法の約半分であり、前方角部において半径が１から８ｃｍのアール部を形成したことを特徴とする請求項２乃至８のいずれか１項に記載の陳列台。
【請求項１０】
前記左右半箱体と前記左右倒れ防止部材は、光透過性または透明のポリカーボネイト樹脂材料を含む樹脂材料を用いて、商品名を示す商品形状部とともに射出成形されることを特徴とする請求項１乃至９のいずれか１項に記載の陳列台。
【発明の詳細な説明】
【０００１】
【発明の属する技術分野】
本発明は、商品の陳列台に係り、横幅サイズに変動のある商品を、前後方向に整然と揃えて陳列するために、特に好適な陳列台に関するものである。
【０００２】
【従来の技術】
百貨店やスーパーマーケットまたはコンビニエンスストアなどで売られている商品を販売するために、上下方向に多段式に配置された商品棚の上に多数の陳列台を横方向に隣接して並べておき、各陳列台毎に異なる種類の商品を収容し、陳列台の正面にさらに価格札を添付する方法が採用されている。この陳列方法によれば限られた陳列スペースを有効利用できるので、多くの販売店で採用されている。
【０００３】
一方、安売り店などにおける商品の陳列方法としては、商品を収容した紙製の箱の天井部分を切り離して上方に開口部を設け、商品をこの開口部から上方に向けて取り出し可能にするように準備してから、箱単位で陳列する方法が採用されている。
【０００４】
また、商品の横幅サイズに変動のある商品を、前後方向に整然と揃えかつ前方に押し出しできるようにするために、床板に対して左右方向に移動できる左右側壁を設けた商品陳列装置についても提案されている（例えば、特許文献１）。
【０００５】
また、周囲に充分な陳列スペースがなく、しかも商品の幅寸法が変更された場合でも容易に商品を前出しするこができるように構成された商品前出し具についても提案されている（例えば、特許文献２）。
【０００６】
さらに、透明ケースから構成される陳列ケースについても提案されている（特許文献３）。
【０００７】
【特許文献１】
特開２００２−３４７３７号公報
【特許文献２】
特開２０００−１１６４７９号公報
【特許文献３】
特開２０００−６０６９１号公報
【発明が解決しようとする課題】
ところで、多数の錠剤や顆粒を密閉して収容した袋入り商品は、箱入り商品のように腰がないことから、自立させて陳列することができない。そこで、このように自立不可能な袋入り商品の場合には、同じ商品を箱体中に前後方向に整然と揃え、かつ後方にやや傾斜した状態で収容して、購買客が正面側から良く見えるように陳列する必要がある。このために多くの場合は、箱体中に倒れ防止部材が設けられている。
【０００８】
この倒れ防止部材は、袋入り商品の収容量に応じて前後方向に移動可能にすることで、収容量が少なくなったときに前方に移動して商品の満杯収容時と略同じ傾斜角度で商品を陳列できるようにしている。
【０００９】
一方、商品の横幅サイズが変動する場合には、例えば上記の特許文献１に開示されたような装置を用いることで、左右方向に隙間ができないようにできる。しかしながら、商品ごとに夫々異なる横幅サイズの倒れ防止部材は準備することはできない。
【００１０】
そこで、異なる横幅サイズの倒れ防止部材を別途準備して、装置側にセットすることになるが、この作業はかなり煩雑となるので、事実上は不可能となる。
【００１１】
したがって、本発明は上記の問題点に鑑みて成されたものであり、横幅方向に変動する横幅サイズを有する商品を、その横幅サイズの変動に応じて隙間なく収容することができ、かつ商品の倒れ防止部材についても、商品の横幅サイズの変動に応じて簡単に変化させることができる陳列台の提供を目的としている。
【００１２】
【課題を解決するための手段】
上述した課題を解決し、目的を達成するために、複数の商品を前後方向に収容するために上方に開口した開口部を有する箱体と、前記商品の後方側への倒れを防止し、かつ前記商品の収容量に応じて前後方向に移動される倒れ防止部材とを備えた陳列箱であって、前記箱体は、略右半分を形成する右半箱体と、略左半分を形成する左半箱体と、前記右半箱体と前記左箱体とを左右方向に移動可能かつ合体化する合体可動部とから構成され、前記倒れ防止部材は、前記右半箱体により前後方向に移動可能かつ倒れ防止されて支持される右支持部を有する右倒れ防止部材と、前記左半箱体により前後方向に移動可能かつ倒れ防止されて支持される左支持部を有する左倒れ防止部材と、前記右倒れ防止部材と前記左倒れ防止部材とを重ねて案内する案内部とから構成され、前記右半箱体と前記左半箱体とが前記左右方向に移動されるにともない、前記右倒れ防止部材と前記左倒れ防止部材とが追従して移動することを特徴としている。
【００１３】
また、前記右半箱体は、右側板と、右背板と、前記右側板の高さ寸法以下の高さを有する右起立部とが右底板の各縁部から連続形成され、前記左半箱体は、左側板と、左背板と、前記左側板の高さ寸法以下の高さを有する左起立部とが左底板の各縁部から連続形成され、前記合体可動部を、前記右底板または前記左底板の前後の各部位において左右方向に連続形成される各第１の案内孔部と、前記左底板または前記右底板の前後部位において下方に向けて突出形成され、前記各第１の案内孔部中に組み付けられる各爪部と、前記右背板または前記左背板の上側の縁部に沿って形成される第１の案内溝部と、前記第１の案内溝に挿入され左右方向に移動可能に形成される前記左背板または前記右背板の第１の上縁部と、から構成するとともに、前記左右起立部とを前後方向に互い違いに組み付けることを特徴としている。
【００１４】
また、前記各第１の案内孔部の長手方向に沿うように形成される複数の被係合部と、前記被係合部に係合するように前記各爪部に形成される係合部とを設け、前記被係合部と前記係合部との間で係合状態にすることで、前記右半箱体と前記左箱体とを左右方向に段階的に移動可能、かつ前記係合状態を保持して前記右半箱体と前記左箱体とを不動状態にすることを特徴としている。
【００１５】
また、前記各第１の案内孔部において、前記各爪部が挿入される挿入孔部と、前記各爪部が挿入されるときに弾性変形し、前記各爪部の挿入後に前記各爪部を前記各第１の案内孔部から脱落防止する弾性変形部を形成したことを特徴としている。
【００１６】
また、前記右半箱体の前記右底板または前記左半箱体の前記左底板の縁部において、前記右半箱体と前記左箱体とを左右幅方向に移動するときに指先が入る凹部を連続形成したことを特徴としている。
【００１７】
また、前記右倒れ防止部材の前記右支持部は、前記右側板の下方において前後方向に連続形成されるとともに複数の上下歯部を形成した第２の案内孔部と、前記第２の案内孔部に沿うように移動されるとともに前記上下歯部に係合する上下凸部を形成し、かつ前記右側板に対して面一となるように前記右倒れ防止部材の右縁部の下方の角部近くに形成される右形状部と、前記右倒れ防止部材の右縁部の上方の角部から連続形成され、前記右側板の上縁部で係止される右係止部とから構成され、また、前記左倒れ防止部材の前記左支持部は、前記左側板の下方において前後方向に連続形成されるとともに複数の上下歯部を形成した第３の案内孔部と、前記第３の案内孔部に沿うように移動されるとともに前記上下歯部に係合する上下凸部を形成し、かつ前記左側板に対して面一となるように前記左倒れ防止部材の左縁部の下方の角部近くに形成される左形状部と、前記左倒れ防止部材の左縁部の上方の角部から連続形成され、前記左側板の上縁部で係止される左係止部とから構成され、そして、前記案内部は、前記右倒れ防止部材または前記左倒れ防止部材の上下縁部から連続形成される上下溝部と、前記上下溝により案内される前記上下縁部と、から構成されることを特徴としている。
【００１８】
また、前記第２の案内孔部と前記第３の案内孔部は挿入孔部を連続形成し、前記左右倒れ防止部材を前記左右底板に対して略垂直に位置させた後に、前記左右形状部を前記挿入孔部に対して挿入可能にしたことを特徴としている。
【００１９】
また、前記右半箱体と前記左半箱体と、前記右倒れ防止部材と前記左倒れ防止部材の左右方向の寸法は同寸法であり、前記左右倒れ防止部材の左右縁部において前記上下凸部に干渉しない凹部を形成したことを特徴としている。
【００２０】
また、前記左右側板の高さ寸法は商品の高さ寸法の約半分であり、前方角部において半径が１から８ｃｍのアール部を形成したことを特徴としている。
【００２１】
そして、前記左右半箱体と前記左右倒れ防止部材は、光透過性または透明のポリカーボネイト樹脂材料を含む樹脂材料を用いて、商品名を示す商品形状部とともに射出成形されることを特徴としている。
【００２２】
【発明の実施の形態】
以下に、本発明の好適な一実施形態について、添付された図面を参照して説明する。先ず、図１は一実施形態の陳列台１を、左右方向の最大位置に移動した後の様子を示した外観斜視図である。また、図２は陳列台１を左右方向の最小位置に移動した後の様子を示した外観斜視図である。
【００２３】
図１と図２に示すように陳列台１は、複数の商品を前後方向に収容するために上方に開口した開口部を有する箱体と、商品の後方側への倒れを防止するとともに商品の収容量に応じて前後方向に移動される倒れ防止部材とを備えている。この箱体は右半分を形成する右半箱体２０と、略左半分を形成する左半箱体１０とから構成されており、後述する合体可動部により右半箱体２０と左箱体１０とが左右方向に移動可能でかつ一体化するように構成されている。
【００２４】
また、倒れ防止部材は、右半箱体２０により前後方向に移動可能かつ倒れ防止されて支持される右支持部を有する右倒れ防止部材３０と、左半箱体１０により前後方向に移動可能かつ倒れ防止されて支持される左支持部を有する左倒れ防止部材４０とから構成されており、この右倒れ防止部材３０と左倒れ防止部材４０とを図１に示すように重ねて案内する案内部とから構成されている。陳列台１の四隅には破線図示の足部５が一体形成されている。
【００２５】
以上の構成により、右半箱体２０と左半箱体１０とが前記左右方向に移動されるにともない、右倒れ防止部材３０と左倒れ防止部材４０とが追従して移動することにより、特に左右の横幅方向に変動する横幅サイズを有する商品を、その横幅サイズの変動に応じて隙間なく収容することができるとともに、商品の倒れ防止部材についても、商品の横幅サイズの変動に応じて簡単に変化させることができるようにしている。
【００２６】
すなわち、図１に示す最大移動位置と図２に示す最小移動位置との間で商品の横幅サイズに応じて任意に移動できることから、この陳列台１を多数準備することで、例えば大中小の３種類のバリエーションのある同系統のシリーズ商品の場合を陳列展示するときに大中小の左右横幅方向のサイズを有する箱体を夫々準備する必要がなくなり、さらに商品の後方側への倒れを防止し、かつ商品の収容量に応じて前後方向に移動される倒れ防止部材についても個別に準備する必要がなくなることとなる。
【００２７】
以下に商品として、アルミ蒸着フィルム製の密閉袋中に多数の錠剤や顆粒を密閉して収容した袋入り商品であって、箱入り商品のように腰がなく、自立させて陳列することができない同じ商品を同じ陳列台１中に前後方向に整然と揃え、かつ後方にやや傾斜した状態で収容して、購買客が正面側から良く見えるように陳列する事例について詳細に述べるが、商品としてはこれに限定されず自立可能な箱入り商品の陳列用に用いても良いことは言うまでもない。
【００２８】
また、図１によれば右半箱体２０が上になり左半箱体１０が下になり、右倒れ防止部材３０が上になり左倒れ防止部材４０が下になる様子を示しているがこれらの上下位置関係が逆であっても良いことも勿論である。
【００２９】
また、左右側板の高さ寸法は商品の高さ寸法の約半分であり、前方角部において半径が１から８ｃｍのアール部を形成しており、デザイン上のアクセントを与えるとともに激しくぶつかった場合において思わぬ怪我をさせないように配慮している。
【００３０】
次に、図３は、図１の立体分解図であって、各右半箱体３０と左半箱体４０と、右倒れ防止部材３０と左倒れ防止部材４０とが簡単に組付け可能であることを示している。
【００３１】
本図において、各右半箱体３０と左半箱体４０と、右倒れ防止部材３０と左倒れ防止部材４０は光透過性または透明のポリカーボネイト樹脂材料を含む樹脂材料を用いて収容される商品名を示す商品形状部Ｆとともに射出樹脂成形されて準備される。商品形状部Ｆは、他の面から凸状にされ表面においてシボを形成して不透明にすることで商品名の表示を高級感を有して行えるようにしている。
【００３２】
このように各部品を射出樹脂成形で製造することで、周知のように成形金型準備などの初期投資額は高額になるが、その後は低コストで安定供給できることになる。ここで、各部品は樹脂製のものに限定されずまた透明ないし光透過性でなくともよく例えば金属板製、木製、紙製でもよく特に複雑な形状となる部品についてのみ樹脂製の部品を併用しても良い。さらに、サイズは商品サイズに応じて適宜設定されることとなり、例えば袋入りドッグフード用には５０ｃｍの最大幅寸法に設定され、またカセットテープ、ＭＤ、ＣＤ、ＤＶＤ、ビデオテープの陳列用には約８〜１５ｃｍの範囲で移動可能に設定される。
【００３３】
上記のアルミ蒸着フィルム製の密閉袋中に多数の錠剤を収容した商品の場合には、図１に示す最大位置に移動後の左右幅寸法が約１９ｃｍ、図２に示す最小位置に移動後の左右幅寸法が約１２ｃｍに設定される。このとき陳列台１の高さ寸法は約１０．５ｃｍであり、奥行き寸法は約１９．５ｃｍであって、前方の左右起立部の高さ寸法は約２．５ｃｍである。
【００３４】
次に、図４は陳列台１の左半箱部材１０の左側面図である。また、図５は左半箱部材１０の平面図である。図３に、図４と図５を参照して、左半箱体１０は、左側板１４と、左背板１２と、この左側板１２の高さ寸法以下の高さである上記の約２．５ｃｍの高さを有する左起立部１３が左底板１１の各縁部から連続形成されている。左底板１１の前後の各部位において左右方向に第１の案内孔部１１ｄ、１１ｄが形成されている。これらの各第１の案内孔部１１ｄ、の長手方向に沿うように破線図示の複数（１３箇所）の凹部である被係合部１１ｆ、１１ｆが一体形成されている。さらに各第１の案内孔部１１ｄ、１１ｄにおいて、挿入孔部１１ｋ、１１ｋと、紙面表裏方向に弾性変形する１１ｃ、１１ｃとが形成されている。
【００３５】
一方、左底板１１の右側の縁部において、右半箱体２０と左箱体１０とを左右幅方向に移動するときに指先が入るようにして安定して移動できるようにするための凹部１１ａが図示のように一体形成されている。さらに足部５に干渉しないようした凹部１１ｂ、１１ｂが図示のように形成されている。
【００３６】
次に、図６は右半箱部材２０の左側面図である。図３に図６を参照して、右半箱体２０は、右側板２４と、右背板２２と、この右側板２２の高さ寸法以下の高さである上記の約２．５ｃｍの高さを有する右起立部２３が右底板２１の各縁部から連続形成されている。この右底板２１の前後の各部位において一対の爪部２１ａ、２１ａが下方に向けて突出して一体形成されている。
【００３７】
以上の構成において、図３に示すように爪部２１ａ、２１ａを第１の案内孔部１１ｄ、１１ｄ中にセットするために上記の挿入孔部１１ｋ、１１ｋ上から下方に挿入し弾性変形部１１ｃ、１１ｃの傾斜面の最も高い位置に爪部２１ａ、２１ａが乗り上げた後に傾斜面の最も低い位置に各爪部２１ａが落ち込むことで、脱落が防止される。これに続きさらに押し込むことで、図７に示した状態になる。すなわち、被係合部１１ｆ、１１ｆのいずれかひとつの凹部に各爪部２１ａに形成された凸状の係合部２１ａー１が落ち込むことで係合状態になる。この結果、右半箱体２０と左箱体１０とを左右方向に段階的（１３段階）に負荷が増減しつつ移動できることとなり、しかもこの係合状態が保持されることで外力が加わっても不動状態に維持できるようになる。
【００３８】
以上により合体可動部の一部が構成される。この合体可動部の残りの構成は、図３と図６に示される右背板２２の上側の縁部に沿う図示の断面形状の第１の案内溝部２２ａと、この第１の案内溝２２ａに挿入され左右方向に移動可能に形成される左背板１２の第１の上縁部１２ａから構成されており、各背板が前後方向に重なるようにされて脱落防止して相対移動が可能にできるように構成されている。
【００３９】
また、左右起立部１３、２３とを前後方向に互い違いに組み付けるようにして左右起立部１３、２３の間において商品の価格を含む表示のための表示シートを保持する隙間を同時に形成するようにしている。
【００４０】
次に、右倒れ防止部材３０と左倒れ防止部材４０の構成について図３と図８の右倒れ防止部材３０と左倒れ防止部材４０の正面図と、図９（ａ）、（ｂ）の右倒れ防止部材３０と左倒れ防止部材４０の側面図を参照して述べる。
【００４１】
右倒れ防止部材３０と左倒れ防止部材４０は平面板状の基部３１、４１を設けており、案内部は、右倒れ防止部材３０の基部３１の上下縁部の長手方向に沿うように連続形成される上溝部３４と下溝部３５と、これらの上下溝３４、３５により案内される左倒れ防止部材４０の基部４１の上縁部４１ｃと下縁部４１ｂとから構成される。以上の構成により、右倒れ防止部材３０と左倒れ防止部材４０は、図７の断面図に示すように組み立てられて、図１に示す最大移動位置と図３に示す最小移動位置との間で幅寸法が変化できるようになる。
【００４２】
右倒れ防止部材３０の右支持部は、右側板２４の下方において前後方向に連続形成されるとともに複数の上下歯部を形成した第２の案内孔部１５と、この第２の案内孔部１５に沿うように移動されるとともに上下歯部に係合する上凸部３２ａと下凸部３２ｂとを形成し、かつ右側板２４に対して面一となるように前記右倒れ防止部材の右縁部の下方の角部近くに形成される右形状部３２とから構成される。また、この右倒れ防止部材の右縁部の上方の角部から連続形成されることで右側板の上縁部で係止される右係止部３３をさらに一体形成している。
【００４３】
左倒れ防止部材４０の左支持部は、左側板１４の下方において前後方向に連続形成されるとともに複数の上下歯部を形成した第３の案内孔部５５と、この第３の案内孔部５５に沿うように移動されるとともに上下歯部に係合する上凸部４２ａ、下凸部４２ｂとを一体形成し、かつ左側板１４に対して面一となるように左倒れ防止部材４０の基部４１の左縁部の下方の角部近くに形成される左形状部４２と、左倒れ防止部材４０の基部４１の左縁部の上方の角部から連続形成されることで左側板１４の上縁部で係止される左係止部４３とから構成されている。
【００４４】
以上のように構成される右倒れ防止部材３０と左倒れ防止部材４０は、図１０の右側面図に示すように第２の案内孔部１５と第３の案内孔部５５から連続形成された挿入孔部１８に対して左係止部４３と右係止部３２とが挿入されて簡単に組付けることができる。このために左右倒れ防止部材を左右底板に対して一点鎖線で図示のように略垂直に位置させた後に、左右形状部４３、３２を挿入孔部１８に対して挿入した後に、後方に傾けた任意の破線図示の位置に移動できるように構成されている。このとき上下凸部３２ａ、３２ｂと不図示の上下凸部４２ａ、４２ｂとが上下歯部１６、１７に対して係合してその位置を維持できることとなる一方で、左右係止部３３、４３が左右側板の上縁部に係止して図示のように傾斜して保持されることとなる。
【００４５】
そして、商品の増減に応じて矢印Ｂ方向に移動するためには、右倒れ防止部材３０と左倒れ防止部材４０との略中央を指先で把持して前方側（矢印Ｄ１方向）に傾けることで左右形状部３２、４２の上下歯部を形成した第２の案内孔部１５と第３の案内孔部５５に対する係合状態が解除されて任意の位置に移動できるようにしている。
【００４６】
ここで、右半箱体と左半箱体と、右倒れ防止部材と左倒れ防止部材の左右方向の寸法を同寸法にする場合には左右倒れ防止部材の左右縁部において凹部３１ａ、４１ａを形成することで、各上下凸部に対する機械的な干渉を防止している。
図１１は、図１０のＸ−Ｘ線矢視断面図であって２台の陳列台１、１を棚板上に載置した様子を示した図である、本図において、既に説明済みの構成部品については同様の符号を附して説明を割愛すると、上記のように左係止部４３と右係止部３２とは各左右側板１４、２４に対して面一になるように形成されている。このように面一にすることで、左右方向に隙間なく密着して陳列台１，１を置くことができることとなる。無駄なスペースが無くなるように配慮している。
【００４７】
最後に図１２は、陳列台１の使用状態を袋入り商品２とプライスタグ３とととに示した外観斜視図である。本図において、既に説明済みの構成部品については同様の符号を附して説明を割愛すると、商品２はシリーズ化された錠剤をアルミ蒸着フィルム製の袋中に密閉したものであり、出し入れ自在のジッパーを開口部に設けている。また、正面において商品名を大きく印刷しているので、顧客はこれを見て取り出せるようにしている。商品２のプライスタグ３は既製品が使用でき、左右起立部１３、２３に対して図示のようにセットするか、紙を下方に折り曲げて取り付け部を作り、この取り付け部を左右起立部１３、２３の間の隙間にセットすることもできる。
【００４８】
また、商品２は自立できないので左右倒れ防止部材３０、４０と左右起立部１３、２３の間に必要分が収容される。そして、商品２の幅寸法Ｗに変動がある場合には、矢印Ａ方向に拡張して幅寸法Ｗに一致させる。また、商品２が残り少なくなり自立できなくなると左右倒れ防止部材３０、４０を矢印Ｂ方向に適宜移動して起立状態にする。以上のようにして、横幅方向に変動する横幅サイズを有する商品２を、その横幅サイズＷの変動に応じて隙間なく陳列台１に収容することができ、かつ商品２の倒れ防止部材についても、商品の横幅サイズＷの変動に応じて簡単に変化させることができるようになる。
【００４９】
【発明の効果】
以上説明したように、本発明によれば、横幅方向に変動する横幅サイズを有する商品を、その横幅サイズの変動に応じて隙間なく収容することができ、かつ商品の倒れ防止部材についても、商品の横幅サイズの変動に応じて簡単に変化させることができる陳列台を提供することができる。
【図面の簡単な説明】
【図１】一実施形態になる陳列台１を最大拡張位置に移動した様子を示した外観斜視図である。
【図２】陳列台１を最小縮小位置に移動した様子を示した外観斜視図である。
【図３】陳列台１の立体分解図である。
【図４】陳列台１の左半箱部材１０の左側面図である。
【図５】陳列台１の左半箱部材１０の平面図である。
【図６】陳列台１の右半箱部材２０の平面図である。
【図７】図１のＸ−Ｘ線矢視断面図である。
【図８】右倒れ防止部材３０と左倒れ防止部材４０の正面図である。
【図９】（ａ）は、右倒れ防止部材３０の右側面図、（ｂ）は左倒れ防止部材４０の側面図である。
【図１０】右倒れ防止部材３０の動作説明のために示した陳列台１の右側面図である。
【図１１】図１０のＸ−Ｘ線矢視断面図である。
【図１２】陳列台１の使用状態を示した外観斜視図である。
【符号の説明】
１  陳列台
２  商品
３  プライスタグ
５  足部
１０  左半箱体
１１  左底板
１２  左背板
１３  左起立部
１４  左側板
１５  第２の案内孔部
１６  上歯部
１７  下歯部
１８  挿入孔部
２０  右半箱体
２１  右底板
２２  右背板
２３  右起立部
２４  右側板
３０  右倒れ防止部材
３１  基部
３２  右形状部
３３  右係止部
３４  上溝部
３５  下溝部
４０  左倒れ防止部材
４１  基部
４２  左形状部
４３  左係止部
５５  第３の案内孔部
【図１】
2004283459.tif 000003
【図２】
2004283459.tif 000004
【図３】
2004283459.tif 000005
【図４】
2004283459.tif 000006
【図５】
2004283459.tif 000007
【図６】
2004283459.tif 000008
【図７】
2004283459.tif 000009
【図８】
2004283459.tif 000010
【図９】
2004283459.tif 000011
【図１０】
2004283459.tif 000012
【図１１】
2004283459.tif 000013
【図１２】
2004283459.tif 000014